(57)【要約】【課題】ＲＦＩＤ対応の従来の手術用ガーゼに比べて柔らかな手術用ガーゼを実現することができ、手術用ガーゼ製造時の漂白工程でＩＣチップが侵され難い、ＲＦＩＤ対応の複合線材、これを用いた手術用ガーゼを提供する。【解決手段】複合線材１は、線状のベース基材２０１にＩＣチップ２０２とアンテナ２０３とが実装されたインレット２０を備えるＲＦタグ２と、ゴム弾性を有するポリマより一体的に形成されており、ＲＦタグ２の外周を覆う被覆材３とを有している。手術用ガーゼ５は、複合線材１を有している。【選択図】図３
2018015359.tif 000002
【特許請求の範囲】
【請求項１】
線状のベース基材にＩＣチップとアンテナとが実装されたインレットを備えるＲＦタグと、
ゴム弾性を有するポリマより一体的に形成されており、上記ＲＦタグの外周を覆う被覆材と、
を有する、複合線材。
【請求項２】
上記被覆材は、上記ＩＣチップおよび上記アンテナの外周部分に継ぎ目がない状態で、上記ＲＦタグの外周を覆っている、請求項１に記載の複合線材。
【請求項３】
上記ゴム弾性を有するポリマは、熱可塑性エラストマーである、請求項１または２に記載の複合線材。
【請求項４】
上記ベース基材の長手方向の長さと上記被覆材の長手方向の長さとが同等である、請求項１〜３のいずれか１項に記載の複合線材。
【請求項５】
長手方向に垂直な断面視で、円形状、扁平形状、または、角形状の断面を有する、請求項１〜４のいずれか１項に記載の複合線材。
【請求項６】
上記被覆材の外周を覆う被覆糸を有する、請求項１〜５のいずれか１項に記載の複合線材。
【請求項７】
さらに、造影糸を有し、
上記被覆材は、上記ＲＦタグおよび上記造影糸の両方の外周を覆っている、請求項１〜６のいずれか１項に記載の複合線材。
【請求項８】
上記被覆材は、造影剤を含む、請求項１〜６のいずれか１項に記載の複合線材。
【請求項９】
請求項１〜８のいずれか１項に記載の複合線材を有する、手術用ガーゼ。
【請求項１０】
経糸と緯糸とを有しており、上記経糸の１つに上記複合線材が用いられている、請求項９に記載の手術用ガーゼ。
【発明の詳細な説明】
【技術分野】
【０００１】
本発明は、複合線材および手術用ガーゼに関する。
【背景技術】
【０００２】
近年、ＩＣチップとアンテナとを有するＲＦタグを用いる無線通信技術であるＲＦＩＤの応用開発が種々の分野で行われている。例えば、医療分野では、識別情報を記録したＲＦタグを手術用ガーゼに取り付けることにより、手術用ガーゼの使用枚数等を正確に把握し、ガーゼ遺残の防止を図ろうとする取り組みがなされている。この種の手術用ガーゼとしては、ＲＦタグを挟み込んだ不織布をガーゼ本体の一方面に溶着により一体化したもの（特許文献１参照）が上市されている。
【０００３】
また、織物の分野では、精錬・染色管理等のために、ＩＣチップに外部アンテナを取り付けたＲＦタグの一面をポリエステルフィルムで被覆し、他面を樹脂コーティングまたはポリエステルフィルムで被覆した平箔糸を、布帛の経糸または緯糸に沿わせて、布帛の一部に織り込む技術が開示されている（特許文献２参照）。
【先行技術文献】
【特許文献】
【０００４】
【特許文献１】特開２０１３−２１２２１９号公報
【特許文献２】特開２００５−２２６１６５号公報
【発明の概要】
【発明が解決しようとする課題】
【０００５】
しかしながら、従来技術は、以下の点で課題がある。すなわち、ＲＦタグを挟み込んだ不織布をガーゼ本体表面に溶着して一体化する技術によれば、ＲＦタグの取り付け部分がその周囲よりも明らかに硬くなる。そのため、デリケートな臓器に触れる手術用ガーゼとしては使いづらい。
【０００６】
一方、ポリエステルフィルムは、不織布に比べ、柔らかさに欠ける。そのため、上記平箔糸を手術用ガーゼに適用した場合には、ガーゼの柔らかさ向上に改良の余地がある。さらに、手術用ガーゼの製造工程には、漂白工程がある。この漂白工程で使用される漂白液は、一般的な織物の精錬・染色工程で使用される薬液に比べ、ＩＣチップを侵しやすい。この点、特許文献２は、手術用ガーゼに関するものではないため、同文献には上記平箔糸の漂白液に対する耐性に関して何ら開示も示唆もなされていない。
【０００７】
本発明は、上記背景に鑑みてなされたものであり、ＲＦＩＤ対応の従来の手術用ガーゼに比べて柔らかな手術用ガーゼを実現することができ、手術用ガーゼ製造時の漂白工程でＩＣチップが侵され難い、ＲＦＩＤ対応の複合線材、これを用いた手術用ガーゼを提供しようとするものである。
【課題を解決するための手段】
【０００８】
本発明の一態様は、線状のベース基材にＩＣチップとアンテナとが実装されたインレットを備えるＲＦタグと、
ゴム弾性を有するポリマより一体的に形成されており、上記ＲＦタグの外周を覆う被覆材と、
を有する、複合線材にある。
【０００９】
本発明の他の態様は、上記複合線材を有する手術用ガーゼにある。
【発明の効果】
【００１０】
上記複合線材は、線形状を呈しているため、手術用ガーゼ表面に溶着して一体化する必要がなく、手術用ガーゼを構成する糸として使用することができる。また、上記複合線材は、ゴム弾性を有するポリマより形成される被覆材がＲＦタグの外周を覆っている。そのため、上記複合線材によれば、ＲＦＩＤ対応の従来の手術用ガーゼに比べて柔らかな手術用ガーゼを実現することができる。また、上記複合線材は、ＲＦタグの外周を覆う被覆材がポリマより一体的に形成されている。そのため、上記複合線材は、手術用ガーゼ製造時の漂白工程で漂白液に曝された場合でも、被覆材の内側に漂白液が侵入し難い。それ故、上記複合線材は、ＩＣチップおよびアンテナが漂白液によって侵され難い。さらに、上記複合線材は、被覆材がＲＦタグの外周を覆っているので、ＩＣチップが外部に露出するのを抑制することができる。
【００１１】
上記手術用ガーゼは、上記複合線材を有している。そのため、上記手術用ガーゼは、ＲＦＩＤ対応の従来の手術用ガーゼに比べて柔らかであり、かつ、漂白工程でＩＣチップおよびアンテナが侵され難い。
【図面の簡単な説明】
【００１２】
【図１】実施例１の複合線材を模式的に示した説明図である。
【図２】図１のＩＩ−ＩＩ線断面を模式的に示した断面図である。
【図３】図２のＩＩＩ−ＩＩＩ線断面を模式的に示した断面図である。
【図４】実施例１の複合線材におけるＲＦタグの外観を模式的に示した説明図である。
【図５】実施例１の手術用ガーゼを模式的に示した説明図である。
【図６】実施例２の複合線材における、図２に対応する断面図である。
【図７】実施例３の複合線材における、図２に対応する断面図である。
【図８】実施例４の複合線材における、図２に対応する断面図である。
【図９】実施例５の複合線材における、図３に対応する断面図である。
【発明を実施するための形態】
【００１３】
上記複合線材において、ＲＦタグは、線状のベース基材にＩＣチップとアンテナとが実装されたインレットを備えている。ベース基材は、具体的には、例えば、平線状等の形状を呈することができる。また、ベース基材は、具体的には、例えば、ポリエチレンテレフタレート等のポリエステル；ポリフェニレンサルファイド（ＰＰＳ）；ポリプロピレン等のポリオレフィン；ポリイミド；ポリアミドイミド；ポリアミド等より構成することができる。
【００１４】
上記複合線材において、被覆材は、ＲＦタグの外周を覆っており、ゴム弾性を有するポリマより一体的に形成されている。具体的には、被覆材は、ＩＣチップおよびアンテナの外周部分に貼り合わせ部や積層部等による継ぎ目がない状態で、ＲＦタグの外周を覆う構成とすることができる。一対のポリマフィルム間にＲＦタグを挟持した線材や、ポリマフィルム表面に配置したＲＦタグ上に樹脂コーティングした線材などでは、ＩＣチップおよびアンテナの外周部分を覆う被覆部位に、貼り合わせ部や積層部等による継ぎ目が生じる。とりわけ、ＩＣチップは、外部のアンテナに比べて厚みがあるので、ＩＣチップの外周部分には、上記継ぎ目に起因する貼り合わせ不良や剥離等が生じる可能性がある。そのため、上記継ぎ目は、貼り合わせ不良や剥離等を通じて漂白液の侵入原因となる。これに対して、ＩＣチップおよびアンテナの外周部分に継ぎ目がない状態で、被覆材がＲＦタグの外周を覆っている場合には、ＩＣチップおよびアンテナの漂白液に対する耐性が確実なものとなり、信頼性の高い複合線材が得られる。
【００１５】
被覆材は、具体的には、例えば、押出成形体より構成することができる。この場合には、ＲＦタグの外周に、ゴム弾性を有するポリマを押出成形することによって被覆材を簡単に形成することができるので、生産性に優れた複合線材が得られる。また、被覆材は、具体的には、例えば、管状体などより構成することもできる。この場合には、管内に挿通されたＲＦタグの両端部よりも長手方向外側で、溶着等により管状体の両端部を液密に封止すればよい。この場合には、被覆材の内周面とＲＦタグの外周面との間に空隙を介在させることができるので、複合線材の柔軟性向上、被覆材の材料削減などに有利である。
【００１６】
ゴム弾性を有するポリマとしては、例えば、各種の熱可塑性エラストマーや熱硬化性エラストマーなどを用いることができる。上記熱可塑性エラストマーとしては、具体的には、例えば、オレフィン系エラストマー、エステル系エラストマー、ウレタン系エラストマー、アミド系エラストマー、スチレン系エラストマーなどを例示することができる。上記熱硬化性エラストマーとしては、具体的には、例えば、スチレン・ブタジエンゴム、イソプレンゴム、ブタジエンゴム等のジエン系ゴムや、ブチルゴム、ウレタンゴム、シリコーンゴム、フッ素ゴム等の非ジエン系ゴムなどの合成ゴム、天然ゴムなどを例示することができる。
【００１７】
上記複合線材において、ベース基材の長手方向の長さと被覆材の長手方向の長さとは同等であるよい。この構成によれば、例えば、以下のようにして複合線材を連続的に生産することができる。
【００１８】
すなわち、長手方向に延びるベース基材に所定ピッチでＩＣチップおよびアンテナが複数実装されたインレット線材を準備する。このインレット線材の外周に、押出被覆などによって被覆材を形成し、インレット被覆線材とする。次いで、ＩＣチップおよびアンテナが一つずつ含まれるように、ＩＣチップおよびアンテナが実装されていない箇所で、インレット被覆線材における被覆材およびベース基材を同時に切断する。なお、漂白液による漂白が行われる場合には、上記切断前に実施される。また、上記切断長さは、例えば、上記複合線材を手術用ガーゼの経糸に適用する場合には、手術用ガーゼの経糸方向の幅と同じ長さとすることができる。これにより、上記複合線材を連続的に生産することができる。
【００１９】
そのため、上記構成によれば、被覆材の長手方向の長さがベース基材の長手方向の長さよりも長い複合線材に比べ、連続生産性に優れた複合線材が得られる。なお、上記「同等」には、ＲＦタグの収縮または被覆材の伸長等が原因で、ベース基材の長手方向の長さが被覆材の長手方向の長さよりもわずかに短くまたは長くなっているが、被覆材およびベース基材が同時に切断されたものである等の事情から、実質的に両長さが同じであると評価できる場合が含まれる。複合線材の端部で見て、同側にあるベース基材の端面と被覆材の端面との間の距離が５ｍｍ以内である場合は、上記「同等」に含まれる。
【００２０】
上記複合線材は、長手方向に垂直な断面視で、円形状、扁平形状、または、角形状の断面を有しているとよい。複合線材の断面が円形状である場合には、丸糸状となるため、手術用ガーゼを構成する糸として使用しやすい。また、複合線材の断面が扁平形状（楕円形状、トラック形状を含む）である場合には、複合線材の断面が円形状である場合に比べ、被覆材を薄肉化しやすく、複合線材の柔軟性向上、これを用いた手術用ガーゼの柔軟性向上に有利である。また、複合線材の断面が角形状である場合には、複合線材の断面が円形状や扁平形状である場合に比べ、被覆材をより薄肉化しやすく、複合線材の柔軟性向上、これを用いた手術用ガーゼの柔軟性向上に特に有利である。また、被覆材料の削減もしやすい。なお、角形状としては、上記効果を確実なものとする観点から、四角形状、より好ましくは、長方形状などの形状を例示することができる。
【００２１】
上記複合線材は、さらに、造影糸を有することができる。この場合、被覆材は、ＲＦタグおよび造影糸の両方の外周を覆っている構成とすることができる。この構成によれば、Ｘ線透過装置により上記複合線材の位置を特定することが可能となる。そのため、この構成によれば、従来の手術用ガーゼにおける造影糸を、上記複合線材に代替えするだけで、ＲＦＩＤに対応した手術用ガーゼが得られる。なお、造影糸は、糸材に硫酸バリウムが練り込まれてなる糸等、公知のものを適用することできる。
【００２２】
上記複合線材において、被覆材は、造影剤を含むことができる。この構成によれば、造影糸を別途用いることなく、Ｘ線透過装置により上記複合線材の位置を特定することが可能となる。そのため、この構成によれば、従来の手術用ガーゼにおける造影糸を、上記複合線材に代替えするだけで、ＲＦＩＤに対応した手術用ガーゼが得られる。なお、造影剤としては、例えば、硫酸バリウム等、公知のものを適用することができる。
【００２３】
上記複合線材は、さらに、被覆材の外周を覆う被覆糸を有していてもよい。この構成によれば、被覆糸によりＩＣチップおよびアンテナが外部から視認し難くなる。また、ゴム弾性を有するポリマよりなる被覆材も外部から視認し難くなる。それ故、上記複合線材を手術用ガーゼに適用した場合に、ＲＦＩＤに対応していない手術用ガーゼと見た目が同様となり、使用者が大きな違和感を感じることなく使用することが可能となる。また、この構成によれば、ゴム弾性を有するポリマからなる被覆材の表面摩擦抵抗を被覆糸によって小さくしやすくなり、手術用ガーゼの製造性が良くなるなどの利点もある。
【００２４】
被覆糸は、具体的には、例えば、ポリエステル、ポリアミド、綿などより構成することができる。被覆糸は、被覆材の外周に編み込まれていてもよいし、被覆材の外周に巻回されていてもよい。被覆糸は、好ましくは、被覆材の外周に編み込まれているとよい。この構成によれば、被覆糸が被覆材の外周に巻回されている場合に比べ、内部をより視認し難くなる。この際、被覆糸は、具体的には、被覆材の外周に、リリアン編みにて編み込まれた構造とすることができる。なお、被覆糸は、１本、２本、またはそれ以上の本数より構成することができる。
【００２５】
上記複合線材は、手術用ガーゼ以外にも、他の手術用衛生用品の管理などに用いることができる。また、上記複合線材は、他にも例えば、クリーニング等における衣類の管理、在庫管理、入退室管理などに用いることもできる。
【００２６】
上記手術用ガーゼは、具体的には、例えば、経糸と緯糸とが織り込まれて形成されており、経糸の１つに上記複合線材が用いられている構成とすることができる。この場合には、手術用ガーゼ製造時に、緯糸として上記複合線材を飛ばす必要がないので、製造性に優れたＲＦＩＤ対応の手術用ガーゼが得られる。
【００２７】
また、上記手術用ガーゼは、柄のないガーゼであってもよいし、柄付きガーゼであってもよい。また、剥離ガーゼであってもよい。柄付きガーゼは、紐状の柄を有している。上記手術用ガーゼが柄付きガーゼである場合には、経糸や緯糸の一部として上記複合線材を用いてもよいし、柄の部分に上記複合線材を取り付けたり、柄そのものを上記複合線材より構成したりすることができる。柄の部分に上記複合線材を取り付ける方法としては、例えば、柄の部分に上記複合線材を縫い込む方法、柄の部分を構成する糸の一部として上記複合線材を使用する方法などを例示することができる。
【００２８】
上記手術用ガーゼは、上記複合線材以外にも、造影糸を別途有することができる。
【００２９】
なお、上述した各構成は、上述した各作用効果等を得るなどのために必要に応じて任意に組み合わせることができる。
【実施例】
【００３０】
以下、実施例の複合線材および手術用ガーゼについて、図面を用いて説明する。なお、同一部材については同一の符号を用いて説明する。
【００３１】
（実施例１）
実施例１の複合線材について、図１〜図４を用いて説明する。図１〜図４に示されるように、本例の複合線材１は、ＲＦタグ２と、被覆材３とを有する。
【００３２】
ＲＦタグ２は、線状のベース基材２０１にＩＣチップ２０２とアンテナ２０３とが実装されたインレット２０を備えている。
【００３３】
本例では、インレット２０３は、線状のベース基材２０１の表面に金属（合金含む）箔より形成されたアンテナ２０３を有している。なお、アンテナ２０３は、線状のベース基材２０１の表面に金属を含有する導電性ペーストを印刷して形成することもできる。上記金属としては、例えば、銅、アルミニウム、銀等を用いることができる。本例では、アンテナ２０３の材質は、具体的には銅とすることができる。アンテナ２０３は、線状を呈しており、その両端部間の長さは、ベース基材２０１の長手方向の長さよりも短くされている。ベース基材２０１は、具体的には、平線状を呈している。ベース基材２０１の幅は、具体的には、２ｍｍとすることができる。ベース基材２０１の材質は、具体的には、ポリエステルとすることができる。ＲＦＩＤ用のＩＣチップ２０２は、アンテナ２０３の長手方向の中央部に実装されている。
【００３４】
被覆材３は、ゴム弾性を有するポリマより一体的に形成されており、ＲＦタグ２の外周を覆っている。
【００３５】
本例では、被覆材３は、少なくともＩＣチップ２０２およびアンテナ２０３の外周部分に継ぎ目がない状態で、ＲＦタグ２の外周を覆っている。被覆材３は、ＲＦタグ２の外周にゴム弾性を有するポリマが押し出し被覆されてなる押出被覆体より構成されている。ゴム弾性を有するポリマは、具体的には、熱可塑性エラストマーであり、より具体的には、オレフィン系エラストマーである。また、ＲＦタグ２におけるベース基材２０１の長手方向の長さと被覆材３の長手方向の長さとは、同等とされている。
【００３６】
また、本例では、複合線材１は、長手方向に垂直な断面視で、円形状の断面を有している。複合線材１では、被覆材３の内周面がＲＦタグ２の外周面に密着した状態とされている。つまり、複合線材１では、被覆材３の内周面とＲＦタグ２の外周面とが密着状態にあり、被覆材３の内周面とＲＦタグ２の外周面との間に、実質的に空隙がない状態とされている。
【００３７】
次に、実施例１の手術用ガーゼについて、図５を用いて説明する。本例の手術用ガーゼ５は、実施例１の複合線材１を有している。本例では、具体的には、手術用ガーゼ５は、経糸５１と緯糸５２とが織り込まれて形成されており、経糸５１の１つに複合線材１が用いられている。
【００３８】
上述した複合線材１および手術用ガーゼ５は、例えば、次のように製造することができる。
【００３９】
長手方向に延びるベース基材２０１に所定ピッチでＩＣチップ２０２およびアンテナ２０３が複数実装されたインレット線材（不図示）を準備する。本例では、具体的には、手術用ガーゼ５の経糸５１方向の長さと対応するベース基材２０１の部分毎にＩＣチップ２０２およびアンテナ２０３が一つずつ含まれるように、ＩＣチップ２０２およびアンテナ２０３が複数実装されたインレット線材を準備する。
【００４０】
次いで、このインレット線材の外周に、ゴム弾性を有するポリマを押し出し被覆することによって被覆材３を形成し、インレット被覆線材（不図示）とする。なお、このインレット被覆線材は、複数の複合線材１が長手方向に連続的に連なったものであるといえる。なお、インレット被覆線材の外周に被覆糸を被覆することもできる。
【００４１】
次いで、経糸５１の１つに、インレット被覆線材を用い、複数の手術用ガーゼ５が連結された反物（不図示）を作製する。なお、反物の作製時に、漂白液による漂白が行われる。
【００４２】
次いで、反物における隣り合うガーゼ間で経糸５１を切断する。具体的には、ＩＣチップ２０２およびアンテナ２０３が一つずつ含まれるように、ＩＣチップ２０２およびアンテナ２０３が実装されていない箇所で、手術用ガーゼ５の経糸５１方向の幅と同じ長さを一区切りとして、インレット被覆線材における被覆材３およびベース基材２０１を同時に切断する。これにより、複合線材１およびこれを有する手術用ガーゼ５が得られる。
【００４３】
複合線材１は、線形状を呈しているため、手術用ガーゼの表面に溶着して一体化する必要がなく、手術用ガーゼ５を構成する糸として使用することができる。また、複合線材１は、ゴム弾性を有するポリマより形成される被覆材３がＲＦタグ２の外周を覆っている。そのため、複合線材１によれば、ＲＦＩＤ対応の従来の手術用ガーゼに比べて柔らかな手術用ガーゼを実現することができる。また、複合線材１は、ＲＦタグ２の外周を覆う被覆材３がポリマより一体的に形成されている。そのため、複合線材１は、手術用ガーゼ製造時の漂白工程で漂白液に曝された場合でも、被覆材３の内側に漂白液が侵入し難い。それ故、複合線材１は、ＩＣチップ２０２およびアンテナ２０３が漂白液によって侵され難い。さらに、複合線材１は、被覆材３がＲＦタグ２の外周を覆っているので、ＩＣチップ２０２が外部に露出するのを抑制することができる。
【００４４】
また、複合線材１は、断面が円形状であるので、丸糸状となる。そのため、複合線材１は、手術用ガーゼ５を構成する糸として使用しやすく、経糸または緯糸として適用しやすい。
【００４５】
手術用ガーゼ５は、複合線材１を有しているので、ＲＦＩＤ対応の従来の手術用ガーゼに比べて柔らかであり、かつ、漂白工程でＩＣチップ２０２およびアンテナ２０３が侵され難い。
【００４６】
（実施例２）
実施例２の複合線材および手術用ガーゼについて、図６を用いて説明する。
【００４７】
図６に示されるように、本例の複合線材１は、長手方向に垂直な断面視で、扁平形状の断面を有している。
【００４８】
本例の複合線材１は、複合線材１の断面が円形状である場合に比べ、被覆材３を薄肉化しやすく、複合線材１の柔軟性向上、これを用いた手術用ガーゼ５の柔軟性向上に有利である。その他の構成および作用効果は、実施例１の複合線材１と同様である。
【００４９】
また、本例の手術用ガーゼ５は、本例の複合線材１を有している。その他の構成および作用効果は、実施例１の手術用ガーゼ５と同様である。
【００５０】
（実施例３）
実施例３の複合線材および手術用ガーゼについて、図７を用いて説明する。
【００５１】
図７に示されるように、本例の複合線材１は、長手方向に垂直な断面視で、角形状の断面を有している。なお、図７では、長方形状の断面が例示されている。
【００５２】
本例の複合線材１は、複合線材１の断面が円形状や扁平形状である場合に比べ、被覆材３をより薄肉化しやすく、複合線材１の柔軟性向上、これを用いた手術用ガーゼ５の柔軟性向上に特に有利である。また、被覆材料の削減もしやすい。その他の構成および作用効果は、実施例１の複合線材１と同様である。
【００５３】
また、本例の手術用ガーゼ５は、本例の複合線材１を有している。その他の構成および作用効果は、実施例１の手術用ガーゼ５と同様である。
【００５４】
（実施例４）
実施例４の複合線材および手術用ガーゼについて、図８を用いて説明する。
【００５５】
図８に示されるように、本例の複合線材１は、さらに、造影糸４を有している。図８では、ＲＦタグ２の一方側縁に沿って造影糸４が配置されており、被覆材３が、ＲＦタグ２および造影糸４の両方の外周を一括して覆っている構成が例示されている。なお、造影糸４は、図８に例示される配置に限定されるものではなく、例えば、平線状のＲＦタグ２における平面に沿って配置することもできる。
【００５６】
本例の複合線材１は、造影糸４を有しているので、Ｘ線透過装置により複合線材１の位置を特定することができる。そのため、本例の複合線材１によれば、従来の手術用ガーゼにおける造影糸を、本例の複合線材１に代替えするだけで、ＲＦＩＤに対応した手術用ガーゼ５が得られる。その他の構成および作用効果は、実施例１の複合線材１と同様である。
【００５７】
また、本例の手術用ガーゼ５は、本例の複合線材１を有している。その他の構成および作用効果は、実施例１の手術用ガーゼ５と同様である。
【００５８】
（実施例５）
実施例５の複合線材および手術用ガーゼについて、図９を用いて説明する。
【００５９】
図９に示されるように、本例の複合線材１は、被覆材３の長手方向の長さが、ベース基材２０１の長手方向の長さよりも長く形成されている。本例では、被覆材３の長手方向の長さは、ベース基材２０１の長手方向の長さよりも５ｍｍ超、具体的には約５ｃｍ長く形成されている。本例の複合線材１は、例えば、インサート成型等、型成型などによって製造することができる。その他の構成および作用効果は、実施例１の複合線材１と同様である。
【００６０】
また、本例の手術用ガーゼ５は、本例の複合線材１を有している。その他の構成および作用効果は、実施例１の手術用ガーゼ５と同様である。
【００６１】
以上、本発明の実施例について詳細に説明したが、本発明は上記実施例に限定されるものではなく、本発明の趣旨を損なわない範囲内で種々の変更が可能である。
【符号の説明】
【００６２】
１  複合線材
２  ＲＦタグ
２０  インレット
２０１  ベース基材
２０２  ＩＣチップ
２０３  アンテナ
３  被覆材
５  手術用ガーゼ
【図１】
2018015359.tif 000003
【図２】
2018015359.tif 000004
【図３】
2018015359.tif 000005
【図４】
2018015359.tif 000006
【図５】
2018015359.tif 000007
【図６】
2018015359.tif 000008
【図７】
2018015359.tif 000009
【図８】
2018015359.tif 000010
【図９】
2018015359.tif 000011